(57)【要約】【課題】温度変化によって光電スイッチ用リフレクタ内部と外部の間に発生する圧力差を解消して、温度変化による光学特性の変化を回避できる光電スイッチ用リフレクタを得る。【解決手段】プリズム面１ａを備えるミラー面１と裏蓋２を、プリズム面１ａと裏蓋２が対向するように固定して光電スイッチ用リフレクタとし、裏蓋２は、光電スイッチ用リフレクタ内部と外部の間で発生する圧力差を解消できるダイアフラム２ｃを備えることとした。【選択図】図１
2015046254.tif 000002
【特許請求の範囲】
【請求項１】
一面にプリズム構造が形成されたミラー部と、
前記ミラー部のプリズム構造と対向して前記ミラー部に固定されて、前記ミラー部と箱体構造を形成する裏蓋とを備え、
前記ミラー部と裏蓋とで形成された箱体構造は、前記箱体構造内部の圧力を調整する圧力調整部を備えていることを特徴とする光電スイッチ用リフレクタ。
【請求項２】
前記圧力調整部は、前記ミラー部と裏蓋とで形成された箱体構造に備えられたダイアフラムであることを特徴とする請求項１記載の光電スイッチ用リフレクタ。
【請求項３】
前記圧力調整部は、前記ミラー部と裏蓋とで形成された箱体構造に備えられた通気穴と、前記通気穴に貼られた通気性を有するフィルム体であることを特徴とする請求項１記載の光電スイッチ用リフレクタ。
【請求項４】
前記圧力調整部は、前記ミラー部と裏蓋とで形成された箱体構造に備えられたエラストマであることを特徴とする請求項１記載の光電スイッチ用リフレクタ。
【発明の詳細な説明】
【技術分野】
【０００１】
この発明は、光電スイッチ用に使われるリフレクタに関するものである。
【背景技術】
【０００２】
リフレクタ形光電スイッチ（以下、単に光電スイッチと称す）は、投光部と受光部とを備えており、投光部から出た光をリフレクタで反射させて受光部で検出する。光電スイッチとリフレクタの間を被検出物体が通過したとき、光電スイッチは光量差を検出して、被検出物体の検出を行う。
リフレクタの構成として、特許文献１には、レンズと基台とから成るリフレクタに、レンズ表面の曇り止めを目的とした追加的な構成を付加したものが示されている。特許文献１に示されるリフレクタから、レンズ表面の曇り止めを目的とした追加的な構成を除いたものが、従来の一般的なリフレクタであり、図４に示すようなものである。つまり、一般的なリフレクタは、プリズム面１０１ａを備えるミラー部１０１（特許文献１のレンズに相当）と、裏蓋１０２（特許文献１の基台に相当）とから構成される。そして、プリズム面１０１ａへの水滴、埃等の付着を防ぐため、ミラー部１０１と裏蓋１０２は超音波溶着等の手段により密封されており、プリズム面１０１ａと裏蓋１０２の間には中空部１０３が形成されている。
【先行技術文献】
【特許文献】
【０００３】
【特許文献１】特開平０５−３２５７４９号公報
【発明の概要】
【発明が解決しようとする課題】
【０００４】
しかしながら、このような光電スイッチ用リフレクタは、使用時に温度変化が生じると、中空部１０３の空気の膨張、収縮により、リフレクタの内部（中空部１０３）と外部の間で圧力差が発生し、ミラー部１０１に力が加わり、プリズム面１０１ａが変形する。こうした場合、ミラー部１０１の光学特性が変化するため、微小な光量差を検出する用途（例えば透明体検出用リフレクタ形光電スイッチ）では安定した検出ができなくなる。
なお、裏蓋１０２に穴等の開口部を設ければ、温度変化が生じてもリフレクタの内部と外部の間で圧力差は発生しないが、この場合、プリズム面１０１ａに水滴、埃等が付着する可能性が高くなり、長期にわたってリフレクタとしての性能を保持することができない。
【０００５】
本発明は、上記のような課題を解決するためになされたもので、温度変化による光学特性の変化を回避できる光電スイッチ用リフレクタを得ることを目的とする。
【課題を解決するための手段】
【０００６】
この発明に係る光電スイッチ用リフレクタは、一面にプリズム構造が形成されたミラー部と、ミラー部のプリズム構造と対向してミラー部に固定されて、ミラー部と箱体構造を形成する裏蓋とを備え、ミラー部と裏蓋とで形成された箱体構造は、箱体構造内部の圧力を調整する圧力調整部を備えていることを特徴とするものである。
【発明の効果】
【０００７】
この発明によれば、温度変化による光学特性の変化を回避できる光電スイッチ用リフレクタを得ることができる。
【図面の簡単な説明】
【０００８】
【図１】この発明の実施の形態１に係る光電スイッチ用リフレクタを示す断面図である。
【図２】この発明の実施の形態１に係る光電スイッチ用リフレクタの第１の変形例を示す断面図である。
【図３】この発明の実施の形態１に係る光電スイッチ用リフレクタの第２の変形例を示す断面図である。
【図４】従来の一般的な光電スイッチ用リフレクタを示す断面図である。
【発明を実施するための形態】
【０００９】
実施の形態１．
図１は、この発明の実施の形態１に係る光電スイッチ用リフレクタを示す断面図である。なお、光電スイッチ及び被検出物体についても示している。
光電スイッチ用リフレクタは、ミラー部１と、このミラー部１に超音波溶着等の手段により固定された裏蓋２とから構成される。
【００１０】
ミラー部１は、断面が波形の回帰反射用のプリズム構造を有するプリズム面１ａを一面に備える板状の部材である。
裏蓋２は、凹部２ａと底部２ｂとを有した、一面開口の略箱型部材であり、この凹部２ａを覆うようにして、ミラー部１が固定される。
この固定は、ミラー部１のプリズム面１ａと裏蓋２の底部２ｂが対向するように行われ、ミラー部１と裏蓋２とで全体として箱体構造を成す。この箱体構造の内部つまりミラー部１と裏蓋２の間には、中空部３が形成される。
【００１１】
裏蓋２の底部２ｂでは、一部が他の部分よりも肉薄に加工されてダイアフラム２ｃとなっている。このダイアフラム２ｃは、弾性を有し、外力に対して変形可能であり、例えば断面が湾曲した状態で形成されている。つまり、光電スイッチ用リフレクタとしての使用中に温度変化が生じ、リフレクタの内部（中空部３）と外部の間で圧力差が発生しても、ダイアフラム２ｃが変形することで中空部３の圧力を調整して該圧力差を解消可能である。従って、温度変化に起因するミラー部１の光学特性の変化を回避することができる。
【００１２】
なお、ダイアフラム２ｃは、裏蓋２の底部２ｂと同一の素材で形成してもよいし、別の素材（例えば弾性の大きいゴム等のエラストマ）で形成してもよい。ダイアフラム２ｃを底部２ｂと同一の素材で形成する場合、予め一部を肉薄とした裏蓋２の底部２ｂを用いてもよい。または、ダイアフラム２ｃと裏蓋２の底部２ｂを別体として、底部２ｂに開口部を設け、その開口部に肉薄で底部２ｂと同一素材のダイアフラム２ｃを密に接着させてもよい。
ダイアフラム２ｃを裏蓋２の底部２ｂと別の素材で形成する場合は、上記したように底部２ｂに開口部を設け、その開口部にダイアフラム２ｃを密に接着させればよい。
また、図１では、裏蓋２の底部２ｂにダイアフラム２ｃを設けたものを示したが、ダイアフラム２ｃの設置箇所はこれに限るものではなく、中空部３の圧力を調整可能であれば、適宜設置箇所を設定してよい。例えば、裏蓋２の凹部２ａが深く形成されている場合であれば、裏蓋２の側部（底部２ｂと略垂直に交わる面）にダイアフラム２ｃを設けることが考えられる。また、リフレクタとして必要な機能を満たす限り、ミラー部１の一部を切り欠いてダイアフラム２ｃを設けるようにしても構わない。
【００１３】
図１に示すように、裏蓋２は、取付穴２ｄを備えており、ボルト２ｅにより不図示の枠体への固定が例えば可能である。
枠体に固定された光電スイッチ用リフレクタに対して、光電スイッチ４の不図示の投光部から発射光４ａを出力し、反射光４ｂを光電スイッチ４の不図示の受光部で検出する。これにより、被検出物体５の検出を行う。上記したように、温度変化が生じてもミラー部１の光学特性は変化しないため、安定した検出が可能である。
【００１４】
なお、図１では、裏蓋２の底部２ｂの一部をダイアフラム２ｃとして、このダイアフラム２ｃで中空部３の圧力を調整する構成について示したが、以下に示すような他の構成を用いてもよい。
図２には、裏蓋２の底部２ｂに通気穴２ｆを設け、この通気穴２ｆに、防水・防塵性と通気性を併せ持つフィルム体２ｇを内面側から貼った構成を示す。なお、図１で示したものと同じ又は相当する構成については、同一の符号を付し、その説明を省略する。
【００１５】
この構成によれば、通気性を有するフィルム体２ｇを通気穴２ｆに貼っているので、中空部３の圧力を調整して、リフレクタの内部（中空部３）と外部の間で生じる圧力差を、通気穴２ｆ及びフィルム体２ｇを介して解消可能であり、かつ、フィルム体２ｇが防水・防塵性も有するので、通気穴２ｆが設けられていても、プリズム面１ａに水滴、埃等が付着することを防ぐことができる。
【００１６】
なお、図２では、フィルム体２ｇを、通気穴２ｆに内面側から貼った構成を示したが、外面側から貼ってもよい。
また、ダイアフラム２ｃと同様に、通気穴２ｆの設置箇所は、中空部３の圧力を調整可能であれば、図２で示した箇所以外に適宜設定してよい。例えば、裏蓋２の凹部２ａが深く形成されている場合であれば、裏蓋２の側部（底部２ｂと略垂直に交わる面）に通気穴２ｆを設けることが考えられる。また、リフレクタとして必要な機能を満たす限り、ミラー部１の一部を切り欠いて通気穴２ｆを設けるようにしても構わない。
【００１７】
また、図３には、裏蓋２の底部２ｂにエラストマ２ｈを備えた構成を示す。なお、図１で示したものと同じ又は相当する構成については、同一の符号を付し、その説明を省略する。
エラストマ２ｈは、弾性を有し、ゴム等のエラストマを素材として構成される。
エラストマ２ｈは、例えば、裏蓋２の底部２ｂに開口部を設け、その開口部にエラストマ２ｈを密に接着させることで、底部２ｂに備えられる。
【００１８】
この構成によれば、裏蓋２に弾性を有するエラストマ２ｈを備えているので、このエラストマ２ｈが変形することにより、中空部３の圧力を調整して、リフレクタの内部（中空部３）と外部の間で生じる圧力差を、解消することができる。
なお、ダイアフラム２ｃ、通気穴２ｆと同様に、エラストマ２ｈの設置箇所は、中空部３の圧力を調整可能であれば、図３で示した箇所以外に適宜設定してよい。例えば、裏蓋２の凹部２ａが深く形成されている場合であれば、裏蓋２の側部（底部２ｂと略垂直に交わる面）にエラストマ２ｈを設けることが考えられる。また、リフレクタとして必要な機能を満たす限り、ミラー部１の一部を切り欠いてエラストマ２ｈを設けるようにしても構わない。また、裏蓋として必要な機能を満たす限り、裏蓋２の大部分をエラストマ２ｈで構成しても構わない。
【００１９】
以上のように、この発明の実施の形態１によれば、ダイアフラム２ｃ、又は通気穴２ｆとフィルム体２ｇ、又はエラストマ２ｈにより、リフレクタの内部（中空部３）と外部の間で生じる圧力差を解消することができるので、温度変化による光学特性の変化を回避するリフレクタを得ることができる。
【００２０】
また、リフレクタの内部（中空部３）と外部の間で生じる圧力差を解消するための構成としてダイアフラム２ｃ又はエラストマ２ｈを設けた場合は、中空部３内にリフレクタとしての使用に支障がでるような意図せぬ気体が混入することを確実に防ぐことができる。
【００２１】
また、リフレクタの内部（中空部３）と外部の間で生じる圧力差を解消するための構成として通気穴２ｆとフィルム体２ｇを設けた場合は、解消できる圧力差の範囲を無制限とすることができる。
【００２２】
なお、本願発明はその発明の範囲内において、実施の形態の任意の構成要素の変形、もしくは実施の形態の任意の構成要素の省略が可能である。
【符号の説明】
【００２３】
１  ミラー部
１ａ  プリズム面
２  裏蓋
２ａ  凹部
２ｂ  底部
２ｃ  ダイアフラム
２ｄ  取付穴
２ｅ  ボルト
２ｆ  通気穴
２ｇ  フィルム体
２ｈ  エラストマ
３  中空部
４  光電スイッチ
４ａ  発射光
４ｂ  反射光
５  被検出物体
１０１  ミラー部
１０１ａ  プリズム面
１０２  裏蓋
１０３  中空部
【図１】
2015046254.tif 000003
【図２】
2015046254.tif 000004
【図３】
2015046254.tif 000005
【図４】
2015046254.tif 000006